(57)【要約】【課題】２枚重ねられたディスクの誤挿入に起因する故障を確実に防止できる「ディスク搬送機構」を提供すること。【解決手段】  ディスク挿入方向に並設された第１および第２の駆動ローラ４，５とガイド部材２との間にディスクを挟持して自動搬送するというツインローラを採用し、これら両駆動ローラ４，５のシャフト４ａ，５ａをスライド板１０の対応するカム孔１０ａ，１０ｂに挿通することにより、両駆動ローラ４，５がガイド部材２から下降して離反する下降量をそれぞれ規制すると共に、第１の駆動ローラ４の下降規制量に対して第２の駆動ローラ５の下降規制量を小さく設定した。これにより、ユーザが誤って２枚重ねられたディスクＤ１，Ｄ２を挿入したとき、一方のディスクＤ２が下降規制量の小さい第２の駆動ローラ５の手前側でブロックされ、２枚重ねられたディスクＤ１，Ｄ２の誤挿入を防止できる。【選択図】図７
2007102895.tif 000002
【特許請求の範囲】
【請求項１】
ディスク挿入口の奥側に配設されたガイド部材と、このガイド部材に対して近接離反可能に対向配置された第１の駆動ローラと、この第１の駆動ローラよりも奥側位置で前記ガイド部材に対して近接離反可能に対向配置された第２の駆動ローラと、前記第１および第２の駆動ローラの前記ガイド部材からの離反方向への離反移動量をそれぞれ規制する規制手段とを備え、前記第２の駆動ローラの離反移動量が前記第１の駆動ローラの離反移動量よりも小さく設定されていることを特徴とするディスク搬送機構。
【請求項２】
請求項１の記載において、前記ガイド部材に近接する方向へ付勢された回動アームと、この回動アームに揺動可能に支持されたローラブラケットとを備え、前記第１および第２の駆動ローラを前記ローラブラケットの揺動中心を介して対向する部位にそれぞれ回転可能に軸支したことを特徴とするディスク搬送機構。
【請求項３】
請求項１または２の記載において、前記規制手段が、前記第１および第２の駆動ローラの回転軸と、これら回転軸が挿通される第１および第２の開口とからなり、前記第１の駆動ローラの回転軸と前記第１の開口間に画成されたクリアランスに対して前記第２の駆動ローラの回転軸と前記第２の開口間に画成されたクリアランスが小さく設定されていることを特徴とするディスク搬送機構。
【発明の詳細な説明】
【技術分野】
【０００１】
本発明は、ガイド部材との間に挟持したＣＤやＤＶＤ等のディスクを駆動ローラの回転駆動によってイジェクト位置とプレイ位置との間で自動搬送するディスク搬送機構に関するものである。
【背景技術】
【０００２】
一般的に車載用ディスクプレーヤでは、ディスク挿入口を有するシャーシの上端部に固定されたガイド部材と、このガイド部材の下面に近接する方向へ付勢されたローラブラケットと、このローラブラケットに回転可能に支持されたゴム製の駆動ローラとを備え、モータを駆動源として駆動ローラを正逆両方向へ回転駆動することにより、ガイド部材と駆動ローラとの間に挟持されたディスクをイジェクト位置とプレイ位置との間で自動搬送するようにしたスロットインタイプのディスク搬送機構が広く採用されている。このようなディスク搬送機構を用いたディスクプレーヤにおいては、ユーザが誤って２枚重ねられたディスクをディスク挿入口からシャーシ内に挿入してしまうと、挿入された２枚のディスクのいずれか一方または両方がシャーシ内で搬送不能状態になる虞があり、その場合は機器を分解しない限りディスクを取り出せなくなるという致命的な問題となる。
【０００３】
そこで従来より、ガイド部材の板面に近接する方向へ弾性付勢されたローラ規制部材を備え、駆動ローラとガイド部材間に挿入されるディスクの厚みを利用して、駆動ローラの軸部とローラ規制部材とを選択的に当接させることにより、２枚重ねられたディスクの挿入を防止可能としたディスク搬送機構が提案されている（例えば、特許文献１参照）。かかるディスク搬送機構においては、駆動ローラとガイド部材間に１枚のディスクが挿入された場合、該ディスクは駆動ローラの回転駆動力によってプレイ位置へと自動搬送されるが、駆動ローラとガイド部材間に２枚重ねられたディスクが挿入されると、２枚分のディスクの厚みによって駆動ローラがガイド部材から大きく離反してローラ規制部材に当接するため、ローラ規制部材から駆動ローラを介して２枚のディスクをガイド部材に圧接させる方向に負荷が与えられ、ディスクの自動搬送方向への移動が規制されるようになっている。
【特許文献１】特開２００５−１８８８９号公報（第１５−１７頁、図１４）
【発明の開示】
【発明が解決しようとする課題】
【０００４】
前述した従来のディスク搬送機構では、駆動ローラをガイド部材に対して近接離反する方向へ移動可能に支持すると共に、これら駆動ローラとガイド部材間の挿入スペースをローラ規制部材によって２枚のディスクの厚み未満に規制するように構成されているため、２枚重ねられたディスクを駆動ローラとガイド部材間で厚み方向に位置規制することにより、２枚重ねられたディスクが誤ってシャーシの内部まで挿入されてしまうことを防止できる。しかしながら、ユーザにとって挿入したつもりのディスクがディスク挿入口で停止してシャーシ内に自動搬送されない状態は不自然であり、ユーザが２枚重ねられたディスクを停止位置からシャーシ内に無理に押し込むことが予測され、その場合、２枚重ねられたディスクが駆動ローラとガイド部材間の挿入スペースを無理に押し広げてシャーシ内に同時に入り込んでしまい、駆動ローラを逆転させてもディスクを取り出せなくなるという故障が発生する。
【０００５】
本発明は、このような従来技術の実情に鑑みてなされたもので、その目的は、２枚重ねられたディスクの誤挿入に起因する故障を確実に防止できるディスク搬送機構を提供することにある。
【課題を解決するための手段】
【０００６】
本発明は、一対の駆動ローラとガイド部材との間にディスクを挟持して自動搬送するというツインローラを採用しつつ、これら両駆動ローラがガイド部材から離反する方向へ移動できる離反移動量をそれぞれ規制し、ディスク挿入口から遠い位置に配置された奥側の駆動ローラの離反移動量を手前側の駆動ローラの離反移動量よりも小さく設定することとした。
【発明の効果】
【０００７】
本発明によるディスク搬送機構は、ディスク挿入方向に並設された第１および第２の駆動ローラとガイド部材との間にディスクを挟持して自動搬送するというツインローラを採用しつつ、これら両駆動ローラがガイド部材から離反する方向へ移動できる離反移動量をそれぞれ規制し、ディスク挿入口から遠い奥側に配置された第２の駆動ローラの離反移動量を手前側の第１の駆動ローラの離反移動量よりも小さく設定したので、ユーザが誤って２枚重ねられたディスクを挿入したとしても、一方のディスクを離反移動量の小さい第２の駆動ローラの手前側でブロックして内部への挿入を阻止することができ、それ故、２枚重ねられたディスクの誤挿入に起因する故障を確実に防止することができる。
【発明を実施するための最良の形態】
【０００８】
本発明のディスク搬送機構は、ディスク挿入口の奥側に配設されたガイド部材と、このガイド部材に対して近接離反可能に対向配置された第１の駆動ローラと、この第１の駆動ローラよりも奥側位置で前記ガイド部材に対して近接離反可能に対向配置された第２の駆動ローラと、前記第１および第２の駆動ローラの前記ガイド部材からの離反方向への離反移動量をそれぞれ規制する規制手段とを備え、前記第２の駆動ローラの離反移動量が前記第１の駆動ローラの離反移動量よりも小さく設定されているように構成した。
【０００９】
このように構成されたディスク搬送機構によれば、ユーザが誤って２枚重ねられたディスクをガイド部材と第１の駆動ローラとの間に挿入すると、これら両ディスクは前段側の第１の駆動ローラと後段側の第２の駆動ローラによって厚み方向に２段階に規制されることになるが、第１の駆動ローラの離反移動量に比べて第２の駆動ローラの離反移動量が小さく設定されているので、２枚重ねられたディスクの一方が第２の駆動ローラの手前側でブロックされる。したがって、第１および第２の駆動ローラを逆転することによって両ディスクを外部へ排出することができ、２枚重ねられたディスクが同時に誤挿入されて排出不可能になることを確実に防止できる。また、ディスク挿入方向に並設された第１および第２の駆動ローラとガイド部材との間にディスクを挟持して自動搬送するというツインローラを採用しているため、第１および第２の駆動ローラの直径寸法を小さくしてもディスクを確実に自動搬送することができ、ディスク搬送機構の薄型化を図ることができる。
【００１０】
上記の構成において、第１および第２の駆動ローラを互いに独立した機構を用いてガイド部材に対して近接離反させるようにしてもよいが、ガイド部材に近接する方向へ付勢された回動アームと、この回動アームに揺動可能に支持されたローラブラケットとを備え、第１および第２の駆動ローラをこのローラブラケットの揺動中心を介して対向する部位にそれぞれ回転可能に軸支すると、共通の回動アームとローラブラケットを用いて第１および第２の駆動ローラをガイド部材に近接離反させることができて好ましい。
【００１１】
また、上記の構成において、規制手段が、第１および第２の駆動ローラの回転軸と、これら回転軸が挿通される第１および第２の開口とからなり、第１の駆動ローラの回転軸と第１の開口間に画成されたクリアランスに対して第２の駆動ローラの回転軸と第２の開口間に画成されたクリアランスを小さく設定すると、簡単な構成で離反移動量の異なる規制手段を実現できて好ましい。
【実施例】
【００１２】
実施例について図面を参照して説明すると、図１は本発明の実施例に係るディスク搬送機構の平面図、図２は該ディスク搬送機構の側面図、図３は該ディスク搬送機構を一方向から見た斜視図、図４は該ディスク搬送機構を他方向から見た斜視図、図５は該ディスク搬送機構の分解斜視図、図６は該ディスク搬送機構に２枚重ねられたディスクが挿入された状態を示す平面図、図７は該ディスク搬送機構の動作説明図である。
【００１３】
図１と図２において、符号１（２点鎖線で示す）はディスクプレーヤの外殻を形成する箱形の筐体であり、この筐体１の前面側には横長形状のディスク挿入口１ａが形成されている。なお、筐体１の前面側は車内のインパネ等に露出する図示せぬノーズ部材（前面パネル）によって覆われており、ディスク挿入口１ａはこのノーズ部材に開設されたディスク挿入用の開口に対向している。
【００１４】
筐体１の内部には図示せぬドライブシャーシがダンパ等を介して弾性支持されており、このドライブシャーシにはガイド部材２とベース部材３が支持されると共に、ターンテーブルとクランパとで構成されるクランプ機構や、ディスクＤに対して情報の記録および／または再生を行う光ピックアップ等が搭載されている。ガイド部材２の下方位置には第１および第２の駆動ローラ４，５が対向配置されており、これらガイド部材２と第１および第２の駆動ローラ４，５はディスク挿入口１ａの奥側に配置されている。第１および第２の駆動ローラ４，５は回転軸であるシャフト４ａ，５ａに中空ゴムを挿通して構成されており、中空ゴムはその直径が長手方向の中央側から両外側に向かって次第に大きくなるテーパ状に形成されている。これらシャフト４ａ，５ａの両端部はローラブラケット６の左右両側に設けられた支持部６ａに回転可能に軸支されており、両支持部６ａは板状の橋絡部６ｂによって連結されている。支持部６ａには両シャフト４ａ，５ａまでの距離を等しくする上部中央位置にピン６ｃが植設されており、このピン６ｃを回動アーム７の先端部の透孔７ｂに挿通させることにより、ローラブラケット６はピン６ｃを揺動中心として回動アーム７に揺動可能に支持されている。この回動アーム７の後端部は軸部７ａを介してベース部材３に回動可能に支持されており、回動アーム７の先端部は図示せぬばね部材によってガイド部材２の下面に近接する方向へ弾性付勢されている。
【００１５】
ベース部材３にはモータ８が搭載されており、第１および第２の駆動ローラ４，５はこのモータ８を駆動源として正逆両方向へ回転駆動されるようになっている。その際、モータ８と第１および第２の駆動ローラ４，５との間に介設された減速ギヤ列９のうち、第１および第２の駆動ローラ４，５のシャフト４ａ，５ａに固着された両ギヤ９ａ，９ｂ間に中継ギヤ９ｃが介設されているため、第１および第２の駆動ローラ４，５は同方向へ回転するようになっている（図４参照）。
【００１６】
また、ベース部材３の左右両側にはスライド板１０が前後方向（Ｘ１−Ｘ２方向）へ移動可能に配設されており、このスライド板１０を図示せぬ別のモータを駆動源として前後進させることにより、ガイド部材２に対して第１および第２の駆動ローラ４，５が近接離反方向へ駆動されたり、前述したドライブシャーシが筐体１に対してロック／ロック解除されるようになっている。スライド板１０には第１および第２のカム孔１０ａ，１０ｂが穿設されており、第１の駆動ローラ４のシャフト４ａは第１のカム孔１０ａに挿通され、第２の駆動ローラ５のシャフト５ａは第２のカム孔１０ｂに挿通されている。ここで、第１および第２のカム孔１０ａ，１０ｂの上端部はシャフト４ａ，５ａの直径よりも十分に大きな開口となっており、シャフト４ａ，５ａが対応するカム孔１０ａ，１０ｂの上端部内にあるとき、第１および第２の駆動ローラ４，５はシャフト４ａ，５ａとカム孔１０ａ，１０ｂ間のクリアランス（寸法差）分だけ上下動できるようになっている。ただし、第１および第２のカム孔１０ａ，１０ｂは上端開口の大きさを異にしており、第１のカム孔１０ａにおける上端開口の下端に対して第２のカム孔１０ｂにおける上端開口の下端が上方位置に設定されているため、シャフト４ａが第１のカム孔１０ａ内を上下動できるクリアランスよりもシャフト５ａが第２のカム孔１０ｂ内を上下動できるクリアランスの方が小さくなるように規定されている。すなわち、これらシャフト４ａ，５ａとカム孔１０ａ，１０ｂによって第１および第２の駆動ローラ４，５のガイド部材２からの下降量を規制する規制手段が構成されており、本実施例の場合、ディスクＤの１枚分の厚み（約１．２ｍｍ）に対して、第１の駆動ローラ４のシャフト４ａ側の下降規制量を１．７〜２．０ｍｍ、第２の駆動ローラ５のシャフト５ａ側の下降規制量を１．５ｍｍに設定してある。
【００１７】
このように構成されたディスク搬送機構において、ディスクＤが筐体１内に装填されていないイジェクト状態（待機状態）にあるとき、前述したドライブシャーシは筐体１に対してロック状態とされており、図２に示すように、スライド板１０は矢印Ｘ２方向へ移動して後退位置にあって、両シャフト４ａ，５ａは対応するカム孔１０ａ，１０ｂの上端部内にある。この場合、ローラブラケット６は回動アーム７からガイド部材２の下面に近接する方向への付勢力を受けているため、両シャフト４ａ，５ａはそれぞれ第１および第２のカム孔１０ａ，１０ｂにおける上端開口の上端に当接し、第１および第２の駆動ローラ４，５はガイド部材２の下面に接触し、または僅かな間隙を介して対向している。
【００１８】
かかるイジェクト状態において、ユーザが１枚のディスクＤをディスク挿入口１ａから筐体１の内部に挿入すると、図示しない検知センサによりディスクＤの挿入を検知してモータ８が一方向へ回転し始め、このモータ８を駆動源として第１および第２の駆動ローラ４，５が順方向へ回転駆動する。ディスクＤをさらに筐体１の内部（矢印Ｘ２方向）に挿入すると、図７（ａ）に示すように、ディスクＤの挿入方向の先端部分がガイド部材２と第１および第２の駆動ローラ４，５との間に順次入り込んで挟持され、ディスクＤは第１および第２の駆動ローラ４，５の回転駆動力を受けてイジェクト位置からプレイ位置へと自動搬送される。その際、第１および第２の駆動ローラ４，５は挿入された１枚のディスクＤの厚み相当分だけガイド部材２の下面から離れ、それに伴って両シャフト４ａ，５ａが対応するカム孔１０ａ，１０ｂの上端開口内を下降する。なお、第１の駆動ローラ４のシャフト４ａの下降規制量はディスクＤの厚みよりも充分に大きく設定されているので、ユーザのディスクＤの挿入時に、ディスクＤが第１の駆動ローラ４に衝突するような感触が生じることはなく、挿入フィーリングが良好となる。
【００１９】
そして、ディスクＤがプレイ位置まで自動搬送されて図示せぬターンテーブル上にチャッキングされると、スライド板１０が後退位置から矢印Ｘ１方向へ前進移動することにより、ドライブシャーシが筐体１に対してロック状態からアンロック状態へと切り替わる。また、スライド板１０の前進移動に伴ってシャフト４ａ，５ａが対応するカム孔１０ａ，１０ｂの上端部から傾斜部を経て下端部に至るため、第１および第２の駆動ローラ４，５がガイド部材２の下面から大きく離反して、ガイド部材２と第１および第２の駆動ローラ４，５との間にディスクＤの回転を妨げない程度の空間が確保される。この状態で図示せぬスピンドルモータが回転駆動されると、ターンテーブルとディスクＤおよびクランパが一体的に回転し、光ピックアップによってディスクＤに対する情報の記録および／または再生が行われる。なお、再生等のプレイ動作が完了したディスクＤをイジェクトする場合は、スライド板１０を矢印Ｘ２方向へ後退させると共に、モータ８を他方向へ回転して上記と逆の動作が行われ、ディスクＤがプレイ位置からイジェクト位置へと自動搬送されるため、このディスクＤをディスク挿入口１ａから筐体１の外部へ取り出すことができる。
【００２０】
次に、ユーザが誤って２枚重ねられたディスクＤをディスク挿入口１ａから筐体１の内部に挿入した場合について説明する。この場合、２枚重ねられたディスク（上側をディスクＤ１、下側をディスクＤ２と称す）の挿入方向の先端部分がガイド部材２と第１の駆動ローラ４との間に入り込んで挟持されると、第１の駆動ローラ４が２枚のディスクＤ１，Ｄ２の厚み相当分だけガイド部材２の下面から離れるため、図７（ｂ）に示すように、第１の駆動ローラ４のシャフト４ａが第１のカム孔１０ａの上端開口内を下降して下端に当接する。ここで、シャフト４ａの下降規制量が２枚のディスクＤ１，Ｄ２の厚み（約２．４ｍｍ）よりも若干小さい値（１．７〜２．０ｍｍ）に設定されているため、２枚のディスクＤ１，Ｄ２はガイド部材２と第１の駆動ローラ４によって厚み方向に規制された状態で第２の駆動ローラ５の手前まで挿入される。ただし、第２の駆動ローラ５のシャフト５ａが第２のカム孔１０ｂの上端開口内を下降できる下降規制量はディスク１枚分程度の値（１．５ｍｍ）に設定されているため、上側のディスクＤ１はガイド部材２と第２の駆動ローラ５との間に入り込めるが、下側のディスクＤ２は第２の駆動ローラ５にブロックされて自動搬送されなくなる（図６参照）。したがって、この状態が所定時間続いたことを検知してモータ８を他方向に回転させれば、第１および第２の駆動ローラ４，５が逆転して両ディスクＤ１，Ｄ２を筐体１の外部へ取り出すことができる。あるいは、下側のディスクＤ２が第２の駆動ローラ５にブロックされた状態で、上側のディスクＤ１のみが第２の駆動ローラ５とガイド部材２に挟持されて奥側に引き込まれ、このディスクＤ１の搬送動作が完了するようにしても良い。
【００２１】
このように本実施例に係るディスク搬送機構では、ガイド部材２と第１および第２の駆動ローラ４，５との間にディスクＤを挟持して自動搬送するというツインローラを採用しているので、第１および第２の駆動ローラ４，５の直径寸法を小さくしてもディスクＤを確実に自動搬送することができ、ディスク搬送機構を含むディスクプレーヤ全体を薄型化することができる。そして、第１および第２の駆動ローラ４，５がガイド部材２から離反する方向への下降量をそれぞれ規制し、ディスク挿入方向の手前側に配置された第１の駆動ローラ４に対して奥側に配置された第２の駆動ローラ５の下降規制量を小さく設定したので、ユーザが誤って２枚重ねられたディスクＤ１，Ｄ２を挿入しても、一方のディスクＤ２を第２の駆動ローラ５でブロックしてそれ以上挿入できないように阻止できる。したがって、第１および第２の駆動ローラ４，５を逆転することによって両ディスクＤ１，Ｄ２を外部へ排出することができ、２枚重ねられたディスクＤ１，Ｄ２が同時に誤挿入されて排出不可能になることを確実に防止できる。
【００２２】
また、第１および第２の駆動ローラ４，５の下降量を規制する規制手段として、スライド板１０に穿設した第１および第２のカム孔１０ａ，１０ｂに第１および第２の駆動ローラ４，５のシャフト４ａ，５ａを挿通し、これらシャフト４ａ，５ａが対応するカム孔１０ａ，１０ｂの開口内を上下動できるクリアランスを異ならせるという構成にしてあるので、規制手段の構成を簡略化することができる。さらに、第１および第２の駆動ローラ４，５をローラブラケット６に回転可能に軸支し、このローラブラケット６を回動アーム７に揺動可能に支持すると共に、この回動アーム７をガイド部材２の下面に近接する方向へ弾性付勢するように構成したので、ガイド部材２と第１の駆動ローラ４との間に２枚のディスクＤ１，Ｄ２が挿入されたとき、第１の駆動ローラ４の下降に伴ってローラブラケット６が揺動することにより、第２の駆動ローラ５にガイド部材２の下面に近接させる方向の付勢力が作用し、一方のディスクＤ２を第２の駆動ローラ５で確実にブロックすることができる。
【図面の簡単な説明】
【００２３】
【図１】本発明の実施例に係るディスク搬送機構の平面図である。
【図２】該ディスク搬送機構の側面図である。
【図３】該ディスク搬送機構を一方向から見た斜視図である。
【図４】該ディスク搬送機構を他方向から見た斜視図である。
【図５】該ディスク搬送機構の分解斜視図である。
【図６】該ディスク搬送機構に２枚重ねられたディスクが挿入された状態を示す平面図である。
【図７】該ディスク搬送機構の動作説明図である。
【符号の説明】
【００２４】
１  筐体
１ａ  ディスク挿入口
２  ガイド部材
３  ベース部材
４  第１の駆動ローラ
５  第２の駆動ローラ
４ａ，５ａ  シャフト（回転軸）
６  ローラブラケット
６ａ  ピン
７  回動アーム
８  モータ
１０  スライド板
１０ａ  第１のカム孔（第１の開口）
１０ｂ  第２のカム孔（第２の開口）
Ｄ，Ｄ１，Ｄ２  ディスク
【図１】
2007102895.tif 000003
【図２】
2007102895.tif 000004
【図３】
2007102895.tif 000005
【図４】
2007102895.tif 000006
【図５】
2007102895.tif 000007
【図６】
2007102895.tif 000008
【図７】
2007102895.tif 000009